(57)【要約】【課題】動画像を撮影中に撮影者の意図により任意のタイミングで高画質の静止画を撮影及び記録可能とする。【解決手段】カメラ部１からの映像信号を動画像として圧縮符号化する第１の情報量圧縮符号化器２と、入力映像信号をスチル画像として圧縮符号化する第２の情報量圧縮符号化器４と、第１の情報量圧縮符号化器２により得られた第１の圧縮信号と第２の情報量圧縮符号化器４により得られた第２の圧縮信号との双方をメモリ手段６に記録する記録手段３とを備え、情報量圧縮符号化器２，４はそれぞれ独立のシャッター１２，１３に基づき撮影する。【選択図】  図１
2005303336.tif 000002
【特許請求の範囲】
【請求項１】
入力映像信号を動画像として圧縮符号化する第１の情報量圧縮符号化器と、
前記入力映像信号をスチル画像として圧縮符号化する第２の情報量圧縮符号化器と、
前記第１の情報量圧縮符号化器により得られた第１の圧縮信号と前記第２の情報量圧縮符号化器により得られた第２の圧縮信号との双方を記録する記録手段とを備えた映像信号記録装置。
【請求項２】
前記第１の情報量圧縮符号化器と前記第２の情報量圧縮符号化器の動作を独立に制御可能とすることを特徴とする請求項１記載の映像信号記録装置。
【請求項３】
前記第２の情報量圧縮符号化器は、前記第１の情報量圧縮符号化器の動作中に動作可能とすることを特徴とする請求項１記載の映像信号記録装置。
【請求項４】
前記第１の圧縮信号と前記第２の圧縮信号とを関連付ける付加情報と共に記録することを特徴とする請求項３記載の映像信号記録装置。
【請求項５】
請求項１ないし４のいずれか記載の映像信号記録装置により記録された信号を再生する映像信号再生装置であって、
前記第１の圧縮信号を伸長し、第１の伸長信号を出力する第１の情報量伸長復号化器と、
前記第２の圧縮信号を伸長し、第２の伸長信号を出力する第２の情報量伸長復号化器と、
前記第１の伸長信号と前記第２の伸長信号のいずれか一方を選択して出力する手段とを備えた映像信号再生装置。
【請求項６】
請求項１ないし４のいずれか記載の映像信号記録装置により記録された信号を再生する映像信号再生装置であって、
前記第１の圧縮信号を伸長し、第１の伸長信号を出力する第１の情報量伸長復号化器と、
前記第２の圧縮信号を伸長し、第２の伸長信号を出力する第２の情報量伸長復号化器と、
前記第１の伸長信号と前記第２の伸長信号とを同一画面に合成して出力する手段とを備えた映像信号再生装置。
【請求項７】
請求項４記載の映像信号記録装置により記録された信号を再生する映像信号再生装置であって、
前記第１の圧縮信号を伸長し、第１の伸長信号を出力する第１の情報量伸長復号化器と、
前記第２の圧縮信号を伸長し、第２の伸長信号を出力する第２の情報量伸長復号化器と、
前記第１の伸長信号と前記第２の伸長信号とを同一画面に合成して出力する手段とを備え、
前記第１の圧縮信号と前記第２の圧縮信号とを関連付ける付加情報に基づき、前記第２の圧縮信号の選択または出力タイミングを制御することを特徴とする映像信号再生装置。
【発明の詳細な説明】
【０００１】
【発明の属する技術分野】
本発明は、映像信号を圧縮し記録媒体に記録する映像信号記録装置および記録媒体から再生し伸長する映像信号再生装置に関する。
【０００２】
【従来技術】
近年、映像信号に対して高能率符号化処理（いわゆる、圧縮符号化処理）を施し、記録または伝送する装置、機器が普及してきている。扱う映像信号としては、静止画、動画の種別、画素数、フレーム数など様々であり、また圧縮方法もＭＰＥＧ２，ＭＰＥＧ４，ＪＰＥＧなど様々な方式が提案または採用されている。
【０００３】
一方、記録担体としては、従来の磁気テープ以外にも、光ディスク、光磁気ディスク、ハードディスク、半導体メモリ等、様々なものが用いられるようになってきている。
【０００４】
【発明が解決しようとする課題】
しかしながら、磁気テープ、半導体メモリや小径ディスクを用いたムービー等の映像信号記録再生装置では、その構成上、動画を撮影中に、撮影者の意思により特定のシーンの静止画を撮影することのように、動画記録と静止画記録とを撮影者の要求に基づき両立させることが困難であった。
【０００５】
また、特開２００１−８６５１０号公報に記載の発明は、撮影前に選択された撮影モードに応じて記録レートを決定するものが開示されている。しかしながら、この様な装置では、撮影者の意図により画質を決定することは可能ではあるが、動画を撮影中に撮影者の意思により特定のシーンを高画質の静止画として撮影または保存することはできなかった。
【０００６】
本願発明は、上記課題に対して、動画を撮影中に、撮影者の意思により特定のシーンの静止画を撮影することの出来る映像信号記録再生装置を提供することを目的とする。
【０００７】
【課題を解決するための手段】
上記課題を解決するために本発明は、入力映像信号を動画像として圧縮符号化する第１の情報量圧縮符号化器と、入力映像信号をスチル画像として圧縮符号化する第２の情報量圧縮符号化器と、第１の情報量圧縮符号化器により得られた第１の圧縮信号と第２の情報量圧縮符号化器により得られた第２の圧縮信号との双方を記録する記録手段とを備えたものである。
【０００８】
これにより、入力映像信号を動画像として記録中であっても、撮影者の意図により任意のタイミングで高画質な静止画を撮影及び記録することができる。
【０００９】
【発明の実施の形態】
本発明の請求項１に係る発明は、入力映像信号を動画像として圧縮符号化する第１の情報量圧縮符号化器と、前記入力映像信号をスチル画像として圧縮符号化する第２の情報量圧縮符号化器と、前記第１の情報量圧縮符号化器により得られた第１の圧縮信号と前記第２の情報量圧縮符号化器により得られた第２の圧縮信号との双方を記録する記録手段とを備えたものである。
【００１０】
本発明の請求項２に係る発明は、上記請求項１に係る発明において、前記第１の情報量圧縮符号化器と前記第２の情報量圧縮符号化器の動作を独立に制御可能とすることを特徴とするものである。
【００１１】
本発明の請求項３に係る発明は、上記請求項１に係る発明において、前記第２の情報量圧縮符号化器は、前記第１の情報量圧縮符号化器の動作中に動作可能とすることを特徴とするものである。
【００１２】
本発明の請求項４に係る発明は、上記請求項３に係る発明において、前記第１の圧縮信号と前記第２の圧縮信号とを関連付ける付加情報と共に記録することを特徴とするものである。
【００１３】
本発明の請求項５に係る発明は、上記請求項１ないし４に係る発明の映像信号記録装置により記録された信号を再生する映像信号再生装置であって、前記第１の圧縮信号を伸長し、第１の伸長信号を出力する第１の情報量伸長復号化器と、前記第２の圧縮信号を伸長し、第２の伸長信号を出力する第２の情報量伸長復号化器と、前記第１の伸長信号と前記第２の伸長信号のいずれか一方を選択して出力する手段とを備えたものである。
【００１４】
本発明の請求項６に係る発明は、上記請求項１ないし４に係る発明の映像信号記録装置により記録された信号を再生する映像信号再生装置であって、前記第１の圧縮信号を伸長し、第１の伸長信号を出力する第１の情報量伸長復号化器と、前記第２の圧縮信号を伸長し、第２の伸長信号を出力する第２の情報量伸長復号化器と、前記第１の伸長信号と前記第２の伸長信号とを同一画面に合成して出力する手段とを備えたものである。
【００１５】
本発明の請求項７に係る発明は、上記請求項４に係る発明の映像信号記録装置により記録された信号を再生する映像信号再生装置であって、前記第１の圧縮信号を伸長し、第１の伸長信号を出力する第１の情報量伸長復号化器と、前記第２の圧縮信号を伸長し、第２の伸長信号を出力する第２の情報量伸長復号化器と、前記第１の伸長信号と前記第２の伸長信号とを同一画面に合成して出力する手段とを備え、前記第１の圧縮信号と前記第２の圧縮信号とを関連付ける付加情報に基づき、前記第２の圧縮信号の選択または出力タイミングを制御することを特徴とするものである。
【００１６】
以下、本発明の実施の形態について、図面を用いて説明する。
【００１７】
（実施の形態１）
図１は、本発明の実施の形態１による映像信号記録再生装置の構成を示すブロック図である。
【００１８】
図１において、１はカメラ部、２は動画用情報量圧縮符号化器、３は記録手段、４スチル用情報量圧縮符号化器、５は内部バス、６は脱着可能なメモリカードなどによるメモリ手段、７は再生手段、８は動画用情報量伸長復号化器、９はスイッチ（ＳＷ）、１０はスチル用情報量伸長復号化器、１１はモニタＴＶである。１２は動画像撮影用シャッター、１３はスチル画像撮影用シャッター、１４は動画／スチル画切替信号である。ここで、動画用情報量圧縮符号化器２、記録手段３、スチル用情報量圧縮符号化器４、バス５、メモリ手段６、再生手段７、動画用情報量伸長復号化器８、スチル用情報量伸長符号化器１０、スイッチ９、動画像撮影用シャッター１２およびスチル画像撮影用シャッター１３により映像記録再生装置１００が構成される。カメラ部１で撮影された映像信号は、映像記録再生装置１００に入力される。また、映像記録再生装置１００の出力信号は、モニタＴＶ１１に入力される。なお、記録手段３及び再生手段７は、メモリ手段８に、圧縮されたデータファイルをＦＡＴ（File Allocation Table）に基づき、記録・再生するものとする。
【００１９】
ここで、動画用情報量圧縮符号化器２は、ＭＰＥＧ４を用いた情報量圧縮符号化器とすると、例えば、カメラ部１から得られた映像信号は、動画像撮影用シャッター１４を開けている間、動画用情報量圧縮符号化器２において、２５６kbpsの圧縮信号に変換される。この圧縮信号は、記録手段３にて、記録に必要な付加情報を付加されると共に、記録媒体としてのメモリ手段６に適した記録信号列Ｓ１に変換され、例えばファイル形式でバス５を介してメモり手段６に記録される。
【００２０】
例えば、図２に示すように、動画像撮影用シャッター１２を開けている時間（ｔ０からｔ５）を１時間とし、記録信号列Ｓ１のビットレートｄ１をたとえば２７８kbpsとする（ここでは仮に付加情報により約１０％増加したとする）と、１２５MBのデータが、メモリ手段６に記録される。
【００２１】
一方、カメラ部１から得られた映像信号は、スチル用情報量圧縮符号化器４にも加えられている。ここで、スチル用情報量圧縮符号化器４は、ＪＰＥＧを用いた情報量圧縮符号化器とすると、たとえば、カメラ部１から得られた映像信号は、スチル画像撮影用シャッター１３が切られたシーンのスチル画のみスチル用情報量圧縮符号化器４で、たとえば、１MBの高画質スチル画圧縮信号に変換される。スチル画像撮影用シャッター１３が切られたシーンの時間をｔ１とすると、この圧縮信号は、記録手段３にて付加情報（ここでも仮に＋１０％とする）が付加され、メモリ手段６に１．１MBのデータ量を有する記録信号列Ｓ２１（ファイル）として記録される。さらに、時間ｔ２，ｔ３，ｔ４にスチル画像撮影用シャッター１３が切られるとすると、各々のデータ量が１．１MBの記録信号列Ｓ２２，Ｓ２３，Ｓ２４が、メモリ手段６に記録される。メモリ手段６には、合計１２９．４MB（１２５MB＋４×１．１MB）のデータが記録される。
【００２２】
スチル画像撮影用シャッター１３は、動画像撮影用シャッター１２とは、独立に設けられており、動画像撮影用シャッター１２の動作に関わらずスチル画像を撮影可能とするものである。
【００２３】
メモリ手段６が２５６ＭＢのフラッシュメモリで構成されている場合は、これらのデータは、余裕を持って、記録される。なお、メモリ手段６の入出力のビットレートは、２Mbps〜１０Mbpsのものが既に実現されており、例えば、一時的にビットレートが上昇したとしても何ら問題なく記録再生が行える。
【００２４】
このような構成を用いれば、一般に、数十分から２時間程度の動画を記録中に、高画質が要求されるシーンの高画質静止画記録を実施することができる。
【００２５】
再生時には、メモリ手段６から読み出されたデータは、バス５を介して再生手段７により、ＭＰＥＧ４のデータ列Ｓ１とＪＰＥＧのデータ列Ｓ２１，Ｓ２２，Ｓ２３，Ｓ２４に復元される。これらのデータ列の内、Ｓ１はたとえばＭＰＥＧ４復号器で構成される動画用情報量伸長復号化器８で、元の１時間の動画像映像信号に復元される。これらのデータ列のうち、Ｓ２１〜Ｓ２４はたとえばＪＰＥＧ復号器で構成されるスチル用情報量伸長復号器１０で、元の４枚のスチル画像映像信号に復元される。このようにして、復元された映像信号は、スイッチ９で、動画／スチル画切替信号１４の指示により切り替えられて、モニタＴＶ１１に映し出される。なお、動画／スチル画切替信号１４は、映像信号記録再生装置１００の外部スイッチに基づき生成してもよいし、内部の制御手段（図示せず）より生成してもよい。内部の制御手段に基づき生成する場合は、メモリ手段６に記録された内容を予め指定可能に構成し、指定されたデータの種別により自動的に切り替えればよい。
【００２６】
なお、記録手段３において、動画像のファイルとスチル画像のファイルとを関連付ける付加情報を双方あるいは一方に付加してもよい。また、スチル画像を生成した時刻を動画像のファイルに記録するタイムスタンプやプレゼンテーションタイム等と共通にしておいても良い。
【００２７】
次に、本実施の形態の他の構成例について図3を用いて説明する。
【００２８】
図３は、記録媒体をメモリ手段６に代えてディスク手段１９とした場合の映像信号記録再生装置のブロック図である。映像信号記録再生装置１０２は、図１における記録手段３、バス５、メモリ手段６、再生手段７を、図４に示すように記録符号化器１５，１６、データ量加算器１７、スイッチ（ＳＷ）１８、ディスク手段１９、再生復号化器２０で構成する。以下、相違点に付いて説明する。
【００２９】
動画用情報量圧縮符号化器２の出力は、記録符号化器１５で誤り訂正符号が付加されると共に、記録媒体に適した記録信号列Ｓ１に変換され、データ量加算器１７に加えられる。また、スチル画用情報量圧縮符号化器４の出力は、記録符号化器１６で誤り訂正符号が付加されると共に、記録媒体に適した記録信号列に変換され、データ量加算器１７に加えられる。データ量加算器１７からの記録信号列は、スイッチ１８を介してディスク手段１９に記録される。
【００３０】
ここで、ディスク手段１９は、光ディスク、光磁気ディスクあるいは磁気ディスクである。記録されるデータは、メモリの場合と同様にファイル形式で記録される。光ディスクあるいは光磁気ディスクの場合は、ＵＤＦ（Universal Disk Format）等により記録再生すればよい。また、記録する動画像またはスチル画のファイルには、関連性を示す付加情報や時刻に係る付加情報も含まれる。
【００３１】
再生時は、選択された動画像またはスチル画像のファイルがスイッチ１８を介して再生復号化器２０に入力され、動画像の圧縮信号またはスチル画像の圧縮信号に復号される。復号された圧縮信号は、それぞれ情報量伸長復号化器８、１０に入力され、スイッチ９で選択された映像信号がモニタＴＶ１１に出力される。
【００３２】
以上のように、記録媒体が異なる場合においても、動画像の撮影中に撮影者の意図により高画質の静止画像を任意に記録することができる。
【００３３】
（実施の形態２）
図４は、本発明の実施の形態２による映像信号記録再生装置の構成を示すブロック図である。本実施の形態は、映像信号記録再生装置１００のスイッチ９を、図４の映像信号記録再生装置１０２に示すように、ＰｉｎＰ回路（ピクチャーインピクチャー回路）２１に置き換えたものである。
【００３４】
本実施の形態によれば、図５に示すように、モニタＴＶ１１の画面に、動画像２２とスチル画像２３とを同時に表示することができる。
【００３５】
なお、記録手段３において、動画像のファイルとスチル画像のファイルとを関連付ける付加情報を双方あるいは一方に付加してもよい。また、スチル画像を生成した時刻を動画像のファイルに記録するタイムスタンプやプレゼンテーションタイム等と共通にしておいても良い。動画と静止画とを関連づける付加情報を付加することにより、例えば、再生時に図２に示す撮影時のタイミングを再現することもできる。
【００３６】
この場合、子画面に動画像２２を再生し、この時、動画像のファイル（信号列Ｓ１）に関連する静止画像のファイル（信号列Ｓ２１〜Ｓ２４）を予め選択可能にしておく。そして、動画像のファイルにおけるタイムスタンプを参照しつつ、これに一致する時刻において、スチル画像２３を親画面に表示すれば、撮影時のタイミングを再生することがでる。この点について、図６に示すフローチャートを用いて説明する。
【００３７】
図６において、ステップ２０１において、再生する動画像ファイル（Ｓ１）をメモリ手段６からセットする。次にステップ２０２で、動画像ファイルの付加情報から関連するスチル画像ファイル（Ｓ２１〜Ｓ２４）をセットする。ステップ２０３で、スチル画像ファイルのタイムスタンプをセットする。ステップ２０４で、ステップ２０１でセットされた動画像ファイルを再生する。ステップ２０５で動画像ファイルのタイムスタンプとステップ２０３でセットされたスチル画像ファイルのタイムスタンプとを比較し、一致するとステップ２０６に移行する。ステップ２０６では、ステップ２０２でセットされたスチル画像ファイルの中から該当するものを再生する。ステップ２０７では、再生中の動画像ファイルの再生終了を監視し、再生継続の場合は、ステップ２０５に戻る。この様なステップを実行することで、動画像と静止画像の撮影時のタイミングを再現して再生することができる。
【００３８】
また、動画像のファイルにおいて、再生がスタートした時点（ｔ０）において、スチル画Ｓ２１を再生し、ｔ１のタイミングでＳ２２に切り替えるなどの制御を行ってもよい。
【００３９】
次に、本実施の形態の他の構成例について図７を用いて説明する。図７に示した映像信号記録再生装置１０３は、図４に示した映像信号記録再生装置１０２をディスク手段１９に対応するための構成としたものである。その詳細は、図３における説明と同様であるので、省略する。このように、記録媒体の種別に関わらず本発明を実施可能である。
【００４０】
なお、動画用の情報量圧縮符号化器をＭＰＥＧ４としたが、これに限るものではなく、ＭＰＥＧ２などの他の圧縮手法を用いたものでもかまわない。
【００４１】
また、スチル画用の情報量圧縮符号化器をＪＰＥＧとしたが、これに限るものではなく、ＪＰＥＧ２０００などの他の圧縮手法、あるいは、非圧縮のものでもかまわない。
【００４２】
また、上記実施の形態では、動画を撮影しつつ静止画を撮影する場合について説明したが、従来機器同様に、動画撮影のみの機器あるいは静止画撮影のみの機器として使用可能なことは言うまでもない。
【００４３】
【発明の効果】
以上説明したように本発明は、カメラ部からの映像信号を動画用とスチル画用との２つの情報量圧縮符号化器により、動画像を記録しながら撮影者の意志により特定のシーンをスチル画としても記録することができ、記録時間をむやみに消費することなく動画像とスチル画像の記録を両立することができる。
【００４４】
また、再生においては、動画像とスチル画像とを関連づける付加情報とともに記録することができるので、撮影時のタイミングを再現したり、効果的に再生したりすることができる。
【図面の簡単な説明】
【図１】本発明の実施の形態１による映像信号記録再生装置の構成を示すブロック図
【図２】同実施の形態１による映像信号記録再生装置の動作を説明するための記録信号列の概念図
【図３】同実施の形態１による映像信号記録再生装置の他の構成を示すブロック図
【図４】同実施の形態２による映像信号記録再生装置の構成を示すブロック図
【図５】同実施の形態２による映像信号記録再生装置の出力信号を表示したモニター画面を示す概念図
【図６】同実施の形態２による映像信号記録再生装置の動作を説明するためのフローチャート
【図７】同実施の形態２による映像信号記録再生装置の他の構成を示すブロック図
【符号の説明】
１  カメラ部
２  動画像用情報量圧縮符号化器
３  記録手段
４  スチル用情報量圧縮符号化器
５  バス
６  メモリ手段
７  再生手段
８  動画像用情報量伸長符号化器
９  スイッチ
１０  スチル画像用情報量伸長復号化器
１１  モニタＴＶ
１２  動画像撮影用シャッター
１３  スチル画像撮影用シャッター
１４  動画／スチル画切替信号
２１  ＰｉｎＰ回路
【図１】
2005303336.tif 000003
【図２】
2005303336.tif 000004
【図３】
2005303336.tif 000005
【図４】
2005303336.tif 000006
【図５】
2005303336.tif 000007
【図６】
2005303336.tif 000008
【図７】
2005303336.tif 000009